(57)【要約】【課題】取り扱い性を高めることができるとともに、生産性の向上及び部品の共用化によるコスト削減を図ることができる端子部品を提供すること。【解決手段】電線の圧着が可能な電線固定部または配線基板への固定が可能な基板固定部となる固定部形成部３２を備える端子部品１１であって、固定部形成部３２が、電線固定部とされた電線接続型端子または基板固定部とされた基板実装型端子に選択的に形成され、電線接続型端子または基板実装型端子に相手方端子が接続可能である。【選択図】図１
2014212077.tif 000002
【特許請求の範囲】
【請求項１】
電線の圧着が可能な電線固定部または配線基板への固定が可能な基板固定部となる固定部形成部を備える端子部品であって、
前記固定部形成部が、前記電線固定部とされた電線接続型端子または前記基板固定部とされた基板実装型端子に選択的に形成され、前記電線接続型端子または前記基板実装型端子に相手方端子が接続可能であることを特徴とする端子部品。
【請求項２】
前記電線固定部は、同一方向へ延在する一対の固定片部を有し、前記固定片部を加締めることで前記電線が圧着固定され、
前記基板固定部は、同一方向へ延在する一対の固定片部と、該固定片部の端部を側方へ屈曲させた脚部とを有し、前記脚部を前記配線基板に半田付けすることで前記配線基板に固定されることを特徴とする請求項１に記載の端子部品。
【請求項３】
前記基板固定部は、前記固定片部から内側へ延在するシールド片部を有することを特徴とする請求項２に記載の端子部品。
【発明の詳細な説明】
【技術分野】
【０００１】
本発明は、端子部品に関する。
【背景技術】
【０００２】
一般に、コネクタは、嵌合可能な一対のハウジングと、これらの一対のハウジングのそれぞれに収容された端子とを備えており、互いのハウジングを嵌合させることで、それぞれのハウジングの端子同士が接続され、これらの端子に接続された電線が導通される。
【０００３】
このようなコネクタとして、互いのハウジングに収容された端子を同一形状とし、ハウジングへの端子の誤装着を防ぎ、取付時の生産性の向上を図ることが知られている（例えば、特許文献１参照）。
【先行技術文献】
【特許文献】
【０００４】
【特許文献１】特開２００９−１９３７６４号公報
【発明の概要】
【発明が解決しようとする課題】
【０００５】
ところで、端子には、電線が圧着される電線接続型端子と配線基板に実装される基板実装型端子とがあるが、近年、用途の異なるこれらの端子の取り扱い性を高め、生産性の向上を図ることが要求されている。
【０００６】
本発明は、上述した事情に鑑みてなされたものであり、その目的は、取り扱い性を高めることができるとともに、生産性の向上及び部品の共用化によるコスト削減を図ることができる端子部品を提供することにある。
【課題を解決するための手段】
【０００７】
前述した目的を達成するために、本発明に係る端子部品は、下記（１）〜（３）を特徴としている。
（１）  電線の圧着が可能な電線固定部または配線基板への固定が可能な基板固定部となる固定部形成部を備える端子部品であって、
前記固定部形成部が、前記電線固定部とされた電線接続型端子または前記基板固定部とされた基板実装型端子に選択的に形成され、前記電線接続型端子または前記基板実装型端子に相手方端子が接続可能であること。
（２）  上記（１）の構成の端子部品であって、
前記電線固定部は、同一方向へ延在する一対の固定片部を有し、前記固定片部を加締めることで前記電線が圧着固定され、
前記基板固定部は、同一方向へ延在する一対の固定片部と、該固定片部の端部を側方へ屈曲させた脚部とを有し、前記脚部を前記配線基板に半田付けすることで前記配線基板に固定されること。
（３）  上記（２）の構成の端子部品であって、
前記基板固定部は、前記固定片部から内側へ延在するシールド片部を有すること。
【０００８】
上記（１）の構成の端子部品では、固定部形成部を電線固定部に形成して電線接続型端子とすることで、電線固定部に電線を圧着固定して接続することができる。これにより、この電線接続型端子に、電線が接続された相手方端子を接続することで、互いの電線同士の導通を図ることができる。また、固定部形成部を基板固定部に形成して基板実装型端子とすることで、基板固定部を配線基板に固定して配線基板の導体パターンと導通させることができる。これにより、電線が接続された相手方端子を基板実装型端子に接続することで、相手方端子に接続された電線と配線基板の導体パターンとの導通を図ることができる。
このように、固定部形成部を電線固定部または基板固定部に形成することで、一つの端子部品を用途の異なる端子として用いることができる。これにより、取り扱い性を高めることができるとともに、生産性の向上及び部品の共用化によるコスト削減を図ることができる。
上記（２）の構成の端子部品では、電線固定部における一対の固定片部を加締めることで電線を容易に圧着固定して電線と導通接続させることができ、また、基板固定部における一対の固定片部の端部の脚部を配線基板に半田付けすることで配線基板に容易に固定して導体パターンと導通させることができる。
上記（３）の構成の端子部品では、基板固定部のシールド片部によって相手方端子との接続箇所における良好なシールド効果を得ることができ、高周波特性の性能向上を図ることができる。
【発明の効果】
【０００９】
本発明によれば、取り扱い性を高めることができるとともに、生産性の向上及び部品の共用化によるコスト削減を図ることができる端子部品を提供できる。
【００１０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１１】
【図１】図１は、キャリアに連結された状態の本実施形態に係る端子部品の平面図である。
【図２】図２は、電線接続型端子に加工した端子部品の斜視図である。
【図３】図３（ａ）から図３（ｄ）は、電線接続型端子に加工した端子部品を示す図であって、図３（ａ）は正面図、図３（ｂ）は左側面図、図３（ｃ）は右側面図、図３（ｄ）は平面図である。
【図４】図４は、電線を接続した電線接続型端子の斜視図である。
【図５】図５は、基板実装型端子に加工した端子部品の斜視図である。
【図６】図６（ａ）から図６（ｄ）は、基板実装型端子に加工した端子部品を示す図であって、図６（ａ）は正面図、図６（ｂ）は左側面図、図６（ｃ）は右側面図、図６（ｄ）は平面図である。
【図７】図７は、配線基板に実装した基板実装型端子の斜視図である。
【発明を実施するための形態】
【００１２】
以下、本発明に係る実施の形態の例を、図面を参照して説明する。
【００１３】
図１は、キャリアに連結された状態の本実施形態に係る端子部品の平面図であり、図２は、電線接続型端子に加工した端子部品の斜視図であり、図３（ａ）から図３（ｄ）は、電線接続型端子に加工した端子部品を示す図であって、図３（ａ）は正面図、図３（ｂ）は左側面図、図３（ｃ）は右側面図、図３（ｄ）は平面図であり、図４は、電線を接続した電線接続型端子の斜視図であり、図５は、基板実装型端子に加工した端子部品の斜視図であり、図６（ａ）から図６（ｄ）は、基板実装型端子に加工した端子部品を示す図であって、図６（ａ）は正面図、図６（ｂ）は左側面図、図６（ｃ）は右側面図、図６（ｄ）は平面図であり、図７は、配線基板に実装した基板実装型端子の斜視図である。
【００１４】
図１に示すように、本実施形態に係る端子部品１１は、銅または銅合金からなる導電性金属板をプレス加工することで形成されたもので、電線の芯線が圧着される電線接続用途または配線基板に実装される基板実装用途に選択的に用いられる。
【００１５】
この端子部品１１には、連結部２１が形成されており、この連結部２１を介して帯状のキャリア２２に連結されている。キャリア２２には、端子部品１１の組立時に使用されるロボットアーム等の運搬機器の凸部（図示しない）を嵌め込むための嵌合孔２３が長手方向に並設されている。このように、端子部品１１は、キャリア２２に連結された連鎖端子の状態とされ、部品供給装置（図示略）によって供給される。そして、端子部品１１は、連結部２１を切断することにより、キャリア２２から切り離して用いられる。このとき、端子部品１１は、プレス加工されて電線接続用途または基板実装用途のそれぞれに応じた形状に加工される。
【００１６】
この端子部品１１は、連結部２１によってキャリア２２に連結された固定部形成部３２と、この固定部形成部３２に連結された接続端子部形成部３３とを有している。固定部形成部３２は、電線の圧着が可能な後述の電線固定部４１Ａに形成したり、配線基板へ実装するための後述の基板固定部４１Ｂに形成する部分である。接続端子部形成部３３は、電線に固定された相手方端子が接続されて導通される後述の接続端子部４２に形成される部分である。
【００１７】
固定部形成部３２には、接続端子部形成部３３と反対側にスリット３４，３５が形成されている。これにより、この固定部形成部３２は、接続端子部形成部３３と反対側へ延在する、固定部本体４５、シールド片部４６及び脚部４７に分割されており、これらの固定部本体４５、シールド片部４６及び脚部４７は、接続端子部形成部３３側に設けられた固定片部４８によって連結されている。
【００１８】
次に、上記の端子部品１１を各用途で用いる場合について説明する。
（電線接続用途）
図２から図３（ｄ）に示すように、端子部品１１を電線接続用途で用いる場合は、連結部２１から切り離す際に、プレス加工によって電線接続型端子４０Ａに加工する。
【００１９】
具体的には、固定部形成部３２の固定部本体４５を湾曲させる。このようにすると、固定部本体４５から固定片部４８が同一方向へ略平行に延在したＵ字形状の電線固定部４１Ａが形成される。
【００２０】
また、接続端子部形成部３３を円筒状に形成する。このようにすると、相手方端子が接続可能な円筒状の接続端子部４２が形成される。
【００２１】
このように形成した電線接続型端子４０Ａに電線を接続するには、図４に示すように、被覆から導体を露出させた電線５１の端部を電線固定部４１Ａに配置させ、図示略のクリンパによって固定片部４８を交互に重ねて加締める。これにより、電線５１の芯線５１ａは、加締められた固定片部４８によって電線固定部４１Ａに圧着固定されて電線接続型端子４０Ａと導通された状態に接続される。
【００２２】
そして、電線５１が接続された電線接続型端子４０Ａの接続端子部４２に相手方端子を接続することで、相手方端子に接続された電線と電線接続型端子４０Ａに接続された電線５１とが導通される。
【００２３】
（基板実装用途）
図５から図６（ｄ）に示すように、端子部品１１を基板実装用途で用いる場合は、連結部２１から切り離す際に、プレス加工によって基板実装型端子４０Ｂに加工する。
【００２４】
具体的には、固定部形成部３２の固定部本体４５を湾曲させる。このようにすると、固定部本体４５から固定片部４８が同一方向へ略平行に延在したＵ字形状の基板固定部４１Ｂが形成される。さらに、シールド片部４６を内側に屈曲させるとともに、脚部４７を外側へ屈曲させる。
【００２５】
また、接続端子部形成部３３を円筒状に形成する。このようにすると、相手方端子が接続可能な円筒状の接続端子部４２が形成される。
【００２６】
このように形成した基板実装型端子４０Ｂを配線基板に実装するには、図７に示すように、脚部４７を配線基板５２側へ向けて基板実装型端子４０Ｂを配線基板５２上に配置させ、脚部４７を配線基板５２の導体パターン５２ａに半田付けする。これにより、基板実装型端子４０Ｂは、配線基板５２上に、導体パターン５２ａと導通した状態で実装される。
【００２７】
そして、この導体パターン５２ａに導通された基板実装型端子４０Ｂの接続端子部４２に相手方端子を接続することで、相手方端子に接続された電線と配線基板５２の導体パターン５２ａとが導通される。
【００２８】
このとき、基板実装型端子４０Ｂには、内側へ屈曲されて接続端子部４２の端部にシールド片部４６が配置されて相手方端子との接続箇所の周囲が覆われる。これにより、接続箇所における良好なシールド効果が得られ、高周波特性の性能向上が図られる。
【００２９】
以上、説明したように、本実施形態に係る端子部品によれば、固定部形成部３２を電線固定部４１Ａに形成して電線接続型端子４０Ａとすることで、電線固定部４１Ａに電線５１の芯線５１ａを圧着固定して接続することができる。これにより、この電線接続型端子４０Ａに、電線が接続された相手方端子を接続することで、互いの電線同士の導通を図ることができる。また、固定部形成部３２を基板固定部４１Ｂに形成して基板実装型端子４０Ｂとすることで、基板固定部４１Ｂを配線基板５２に固定して配線基板５２の導体パターン５２ａと導通させることができる。これにより、電線が接続された相手方端子を基板実装型端子４０Ｂに接続することで、相手方端子に接続された電線と配線基板５２の導体パターン５２ａとの導通を図ることができる。
【００３０】
このように、固定部形成部３２を電線固定部４１Ａまたは基板固定部４１Ｂに形成することで、一つの端子部品１１を用途の異なる端子として用いることができ、取り扱い性を高め、生産性の向上を図ることができる。
【００３１】
また、電線固定部４１Ａにおける一対の固定片部４８を加締めることで電線５１の芯線５１ａを容易に圧着固定して電線５１と導通接続させることができ、また、基板固定部４１Ｂにおける一対の固定片部４８の端部の脚部４７を配線基板５２の導体パターン５２ａに半田付けすることで配線基板５２に容易に固定して導体パターン５２ａと導通させることができる。
【００３２】
しかも、基板固定部４１Ｂのシールド片部４６によって相手方端子との接続箇所における良好なシールド効果を得ることができ、高周波特性の性能向上を図ることができる。
【００３３】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００３４】
１１  端子部品
３２  固定部形成部
４０Ａ  電線接続型端子
４０Ｂ  基板実装型端子
４１Ａ  電線固定部
４１Ｂ  基板固定部
４６  シールド片部
４７  脚部
４８  固定片部
５１  電線
５１ａ  芯線
５２  配線基板
【図１】
2014212077.tif 000003
【図２】
2014212077.tif 000004
【図３】
2014212077.tif 000005
【図４】
2014212077.tif 000006
【図５】
2014212077.tif 000007
【図６】
2014212077.tif 000008
【図７】
2014212077.tif 000009